(57)【要約】  【課題】別の固定用部品を使うことなく既存部品である第２シュートに商品収納室の固定を行う機能を付与し、商品収納室の左右方向および前後方向について固定することができ、商品搬出時の挙動の安定化、コストの削減等ができる自動販売機を提供する。  【解決手段】シュート１０６は第１シュート１０６ａと第２シュート１０６ｂに分割されて、第１シュート１０６ａは商品収納室１０２の後方下部に傾斜して構成され、第１シュート１０６ａの前端部は鉛直部１０９を備え、鉛直部１０９に複数の角穴１１１が構成されており、第２シュート１０６ｂに形成された突出部１１２を角穴１１１に挿通保持するよう構成した自動販売機。【選択図】図１
2008250988.tif 000002
【特許請求の範囲】
【請求項１】
商品収納室の下方に配置され、商品払出装置から払い出された商品が落下して滑降または転動するように傾斜して配されたシュートを備える自動販売機において、前記シュートは第１シュートと第２シュートに分割されて、前記第１シュートは前記商品収納室の後方下部に傾斜して構成され、前記第１シュートの前端部は鉛直部を備え、前記鉛直部に複数の角穴が構成されており、前記第２シュートに形成された突出部を前記角穴に挿通保持するよう構成したことを特徴とする自動販売機。
【請求項２】
前記第１シュートの前記鉛直部に下端から前方に延在された案内部を設けたことを特徴とする請求項１に記載の自動販売機。
【請求項３】
前記第２シュートの前記突出部の先端に上方向に傾斜した保持部を設けたことを特徴とする請求項１または２に記載の自動販売機。
【請求項４】
前記角穴を前記第１シュートの前記鉛直部から前記案内部に亘って形成されたことを特徴とする請求項１から３のいずれか一項に記載の自動販売機。
【請求項５】
前記第２シュートの前記突出部の先端に上方向に突出した凸部を設けたことを特徴とする請求項１、２、４のいずれかに記載の自動販売機。
【請求項６】
前記第２シュートの前記突出部の先端に上方向にＶ字状に屈曲した曲げ部を設けたことを特徴とする請求項１、２、４のいずれかに記載の自動販売機。
【請求項７】
前記第１シュートの前記鉛直部に２個の角穴が設けられ、かつ、前記第２シュートに２個の突出部が設けられ、前記突出部が前記第１シュートの前記角穴に挿通保持されるとともに、２個の前記突出部の間がおおよそ６０ｍｍもしくはそれよりも小さな間隔で形成されたことを特徴とする請求項１から６のいずれか一項に記載の自動販売機。
【発明の詳細な説明】
【技術分野】
【０００１】
本発明は、商品払出装置を備えた商品収納室から搬出された商品をシュートを介して商品取出口に送出する自動販売機に関するものである。
【背景技術】
【０００２】
従来、この種の自動販売機は、商品収納室から搬出される商品を商品取出口まで搬送するために、商品収納室と商品取出口の間に傾斜してシュートを構成している。
【０００３】
図９は、特許文献１に記載された従来の自動販売機を示すものである。図のように、自動販売機１の内側天井部に吊り下げられ左右方向に複数並設され、かつ前後方向にも複数並設された商品収納室２と、商品収納室２下部に備えられた（図示しない）商品払出装置と、自動販売機１前面下部に設けられた商品取出口３と、商品収納室２の下方に傾斜して備えられ、（図示しない）商品払出装置より搬出された（図示しない）商品を商品取出口３へ案内するシュート４と、を備えている。
【０００４】
また、シュート４前端と商品取出口３との間には断熱壁５が設けられ、断熱壁５にはシュート４により案内された（図示しない）商品を商品取出口３側へ通過させるための開口部５ａと回動自在に軸支されたフラップ６が設けられ、フラップ６は（図示しない）商品の通過以外は開口部５ａを閉じるよう備えられている。
【０００５】
シュート４は金属製の板状部材からなり、それぞれ商品収納室２下部に前下がりに傾斜するように配置されている。シュート４の幅は、商品収納庫７内の幅と同等の幅寸法に形成されている。
【０００６】
シュート４後端には任意の数の突出部４ａが設けられており、自動販売機１の商品収納庫７内の背面側に設けた複数の角穴（図示しない）に挿通するよう構成されている。またシュート前端は商品収納庫下方前端部に例えばビス締め等などの固定手段により固定されるよう構成されている。
【０００７】
以上のように構成された自動販売機について、以下その動作を説明する。
【０００８】
商品収納室２から払い出された（図示しない）商品はシュート４上に落下し、（図示しない）商品はシュート４上を転動または滑走しながら傾斜面に沿って商品取出口３まで誘導される。
【特許文献１】特開２００３−１７３４６５号公報
【発明の開示】
【発明が解決しようとする課題】
【０００９】
しかしながら、上記従来の構成では、商品収納室が自動販売機の内側天井部に吊り下げられ左右方向に複数並設され、かつ前後方向にも複数並設されているため、商品収納庫内の幅寸法がレイアウト上の制約などにより商品収納室に対して大きめな幅寸法となった場合、商品収納室の幅方向に対して位置が定まらず、別部品などによる商品収納室の固定をしなければならないという課題があった。
【００１０】
また、前後方向についても商品収納庫内の前後寸法が商品収納装置に対して大きめな奥行き寸法となった場合、商品収納室の前後方向に対して位置が定まらず、別部品などによる商品収納室の固定をしなければならないという課題があった。また、これらの商品収納室の位置ばらつきにより商品搬出時において商品がシュート上に落下する際の落下地点が変動し、商品の挙動に悪影響を与えるという課題があった。
【００１１】
本発明は、上記従来の課題を解決するもので、別の固定用部品を使うことなく既存部品である第２シュートに商品収納室の固定を行う機能を付与し、商品収納室の左右方向および前後方向について固定することができ、商品搬出時の挙動の安定化、コストの削減等の目的が達成できる。
【課題を解決するための手段】
【００１２】
上記従来の課題を解決するために、本発明の自動販売機は、商品収納室の下方に配置され、商品払出装置から払い出された商品が落下して滑降または転動するように傾斜して配されたシュートを備える自動販売機において、前記シュートは第１シュートと第２シュートに分割されて、前記第１シュートは前記商品収納室の後方下部に傾斜して構成され、前記第１シュートの前端部は鉛直部を備え、前記鉛直部に複数の角穴が構成されており、前記第２シュートに形成された突出部を前記角穴に挿通保持するよう構成したものである。
【００１３】
これによって、商品収納室の左右方向の位置関係が第２シュートの突出部が第１シュートの角穴に挿通保持される関係から固定することができる。
【発明の効果】
【００１４】
本発明の自動販売機は、商品収納室を既存部品である第２シュートで確実な位置固定ができ、また第２シュートと商品収納室との位置関係のばらつきをなくすことができ、商品搬出時の商品の挙動安定化ができ、商品収納室を固定するための固定部品の廃止ができコスト削減ができる。
【発明を実施するための最良の形態】
【００１５】
請求項１に記載の発明は、商品収納室の下方に配置され、商品払出装置から払い出された商品が落下して滑降または転動するように傾斜して配されたシュートを備える自動販売機において、前記シュートは第１シュートと第２シュートに分割されて、前記第１シュートは前記商品収納室の後方下部に傾斜して構成され、前記第１シュートの前端部は鉛直部を備え、前記鉛直部に複数の角穴が構成されており、前記第２シュートに形成された突出部を前記角穴に挿通保持するよう構成したものである。
【００１６】
これによって、商品収納室の左右方向の位置決めが確実に行え、また、既存部品である第２シュートで行うことから、別の固定部品が不要となり、コストの削減ができる。
【００１７】
請求項２に記載の発明は、請求項１に記載の発明の自動販売機において、前記第１シュートの前記鉛直部に下端から前方に延在された案内部を設けたものである。
【００１８】
これによって、第２シュートの着脱時、第２シュートの突出部を案内部に仮置きし、沿わせて挿通できるため、第２シュート取付時の取付作業を容易にできる。
【００１９】
請求項３に記載の発明は、請求項１から２に記載の発明の自動販売機において、前記第２シュートの前記突出部の先端に上方向に傾斜した保持部を設けたものである。
【００２０】
これによって、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。これらから、第２シュートを所定の取り付け固定した際は第１シュートと第２シュートの係合が確実なものとなり、商品収納室の左右方向のみでなく前後方向の位置決めについても確実に行うことができる。
【００２１】
請求項４に記載の発明は、請求項１から３のいずれか一項に記載の発明の自動販売機において、前記角穴を前記第１シュートの前記鉛直部から前記案内部に亘って形成されたものである。
【００２２】
これによって、第２シュート着脱時は挿入方向に対して、角穴の開口面積を更に大きく確保することができるため、第２シュートの取付性を容易にすることができる。
【００２３】
請求項５に記載の発明は、請求項１、２、４のいずれかに記載の発明の自動販売機において、前記第２シュートの前記突出部の先端に上方向に突出した凸部を設けたものである。
【００２４】
これによって、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。これらから、第２シュートを所定の取り付け固定した際は第１シュートと第２シュートの係合が確実なものとなり、商品収納室の左右方向のみでなく前後方向の位置決めについても確実に行うことができる。
【００２５】
請求項６に記載の発明は、請求項１、２、４のいずれかに記載の発明の自動販売機において、前記第２シュートの前記突出部の先端に上方向にＶ字状に屈曲した曲げ部を設けたものである。
【００２６】
これによって、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。これらから、第２シュートを所定の取り付け固定した際は第１シュートと第２シュートの係合が確実なものとなり、商品収納室の左右方向のみでなく前後方向の位置決めについても確実に行うことができる。
【００２７】
請求項７に記載の発明は、請求項１から６のいずれか一項に記載の自動販売機において、前記第１シュートの前記鉛直部に２個の角穴が設けられ、かつ、前記第２シュートに２個の突出部が設けられ、前記突出部が前記第１シュートの前記角穴に挿通保持されるとともに、２個の前記突出部の間がおおよそ５０ｍｍもしくはそれよりも小さな間隔で形成されることにより、第１シュートと第２シュート間での取付状態のばらつきにより、第１シュートと第２シュート間の係合部での段差が生じた場合でも、商品が段差に完全に落ち込むことを防ぐことができ、段差に落ち込むことによる搬出不良などを防止することが出来る。
【００２８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２９】
（実施の形態１）
図１は、本発明の実施の形態１における自動販売機の側面図（略上部）である。図２は、同実施の形態の自動売機のシュートの取り付け構成を示した要部分解斜視図である。図３は、同実施の形態の自動販売機の第１シュートと第２シュートの係合部側面図である。図４は、同実施の形態の自動販売機の第１シュートと第２シュートの係合部側面図である。図５は、同実施の形態の自動販売機の第２シュート突出部近傍の斜視図である。図６は、同実施の形態の自動販売機の第２シュート突出部近傍の斜視図である。図７は、同実施の形態の自動販売機の第１シュートと第２シュートの係合部側面図である。図８は、同実施の形態の自動販売機の第２シュート突出部近傍の斜視図である。
【００３０】
図１、図２において、自動販売機１０１の図示しない内側天井部に吊り下げられ左右方向に複数並設され、かつ前後方向にも複数並設された商品収納室１０２と、商品収納室１０２下部に備えられた商品払出装置１０３と、自動販売機１０１前面下部に設けられた商品取出口１０４と、商品収納室１０２の下方に傾斜して備えられ、商品払出装置１０３より搬出された商品１０５を商品取出口１０４へ案内するシュート１０６と、を備えている。また、シュート１０６前端と商品取出口１０４との間には断熱壁１０７が設けられ、断熱壁１０７にはシュート１０６により案内された商品１０５を商品取出口１０４側へ通過させるための開口部１０７ａと回動自在に軸支されたフラップ１０８が設けられ、フラップ１０８は商品１０５の通過以外は開口部１０７ａを閉じるよう備えられている。
【００３１】
また、シュート１０６は第１シュート１０６ａと第２シュート１０６ｂに分割されており。第１シュート１０６ａは奥側の商品収納室１０２ａの下部に傾斜して構成され、第１シュート１０６ａの前端部は鉛直部１０９と鉛直部下端から前方に延在された（第２シュート１０６ｂの傾斜面に対してやや傾斜のきつい角度を有する）案内部１１０を備えている。
【００３２】
また、第１シュート１０６ａには、鉛直部１０９から案内部１１０に亘り一対の角穴１１１が複数構成されている。第２シュート１０６ｂは商品取出口１０４近傍から奥方向に向かって傾斜して延在され、第２シュート１０６ｂ奥側端部には（第１シュート１０６ａの角穴１１１と同数の）突出部１１２を設けており、また、突出部１１２の先端には上方向に傾斜した保持部１１３を設けている。
【００３３】
以上のように構成された自動販売機について、以下、図３から図４にて、その動作、作用を説明する。
【００３４】
まず、図３のように、第２シュート１０６ｂを着脱する際は、第２シュート１０６ｂをある程度（手前を持ち上げてθ＝約３０°程度）傾けることにより、第２シュート１０６ｂの抜き差し方向に対して第２シュート１０６ｂの保持部１１３（保持部寸法ａ）が第１シュート１０６ａの角穴１１１開口部（開口寸法ｂ）を通過可能な寸法関係（ａ＜ｂ）となるため、第２シュート１１６ｂの突出部１１２を角穴１１１に挿通可能となり、第２シュート１１６ｂの装着が可能となる。
【００３５】
一方、図４のように、第２シュート１０６ｂの突出部１１２が第１シュート１０６ａの角穴１１１に挿通された状態で、第２シュート１０６ｂを所定の取り付け状態に固定した際は、第２シュート１０６ｂの抜き差し方向に対して第１シュート１０６ａの角穴１１１の投影寸法（ｂ´）が小さくなり、第２シュート１０６ｂの保持部１１３が第１シュート１０６ａの角穴１１１開口部（投影寸法ｂ´）を通過できない寸法関係（ａ＜ｂ´）となるため、脱着が不可能となり、抜け防止機能が働く。これらから、第２シュート１０６ｂを所定の取り付け固定した際は第１シュート１０６ａと第２シュート１０６ｂの係合が確実なものとなる。
【００３６】
また、第２シュート１０６ｂの突出部１１２の先端が上方に傾斜した保持部１１３を設ける代わりに、図５のように、第２シュート１０６ｂの突出部１１２の先端に上方向に突出した凸部１１４を設けてもよい。これにより、第２シュート１０６ｂの着脱および固定時において、第２シュート１０６ｂに保持部１１３を設けた場合と同様の効果が得られる。
【００３７】
また、第２シュート１０６ｂの突出部１１２の先端が上方に傾斜した保持部１１３を設ける代わりに、図６のように、第２シュート１０６ｂの突出部１１２の先端に上方向にＶ字状に屈曲した曲げ部１１５を設けてもよい。これにより、第２シュートの着脱および固定時において、第２シュート１０６ｂに保持部１１３を設けた場合と同様の効果が得られる。
【００３８】
また、第２シュート１０６ｂの着脱をする際、第１シュート１０６ａの案内部１１０上に第２シュート１０６ｂの突出部１１２を仮置きし、沿わせて挿通することで、第２シュート１０６ｂの装着を容易にすることができる。
【００３９】
また、図７のように、第１シュート１０６ａの角穴１１１を鉛直部１０９のみでなく鉛直部１０９から案内部１１０に亘り構成することで、第２シュート１０６ｂ着脱時の挿入方向に対して、角穴１１１の開口寸法（ｃ）を更に大きく確保することができ、また、第２シュート１０６ｂを所定の取り付け状態に固定した際の第２シュート１０６ｂの抜き差し方向に対して第１シュート１０６ａの角穴１１１の投影寸法（ｃ´）にはほとんど影響がないため、第２シュート１０６ｂの取り付け時の抜け防止機能を維持したまま、取付性を容易にすることができる。
【００４０】
また、図８のように、第１シュートと第２シュート間での取付状態のばらつきにより、第１シュート１０６ａと第２シュート１０６ｂ間の係合部に隙間（図中Ｂ）などが生じ段差１１６が生じた場合でも、第１シュート１０６ａの鉛直部１０９に２個の角穴１１１が設けられ、かつ、第２シュート１０６ｂに２個の突出部１１２が設けられ、突出部１１２が第１シュート１０６ａの角穴１１１に挿通保持されるとともに、２個の突出部１１２の間（図中Ａ）がおおよそ５０ｍｍもしくはそれよりも小さな間隔で形成されているため商品１０５が段差１１６に完全に落ち込むことを防ぐことができ、商品１０５の段差１１６に落ち込んでいない他方が第２シュート１０６ｂの傾斜面により商品取出口１０４の方向へ誘導されるため、段差１１６に落ち込むことによる搬出不良などを防止することが出来る。
【００４１】
以上のように、本実施の形態では、前記シュートは第１シュートと第２シュートに分割されており、前記第１シュートは前記商品収納室の後下部に傾斜して構成され、前記第１シュートの前端部は鉛直部を備え、前記鉛直部に複数の角穴が構成されており、前記第２シュートは前記商品取出口近傍から奥方向に向かって傾斜して延在され、前記第２シュート奥側端部に突出部を複数設け、前記突出部は前記角穴に挿通保持するよう構成されているため、商品収納室の左右方向の位置決めが確実に行え、また、既存部品である第２シュートで行うことから、別の固定部品が不要となり、コストの削減ができる。
【００４２】
また、前記第１シュートの前記鉛直部に下端から前方に延在された案内部を構成したため、第２シュートの着脱時、第２シュートの突出部を案内部に仮置きし、沿わせて挿通できるため、第２シュート取付時の取付作業を容易にできる。
【００４３】
また、前記第２シュートの前記突出部の先端に上方向に傾斜した保持部を構成したため、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。
【００４４】
これらから、第２シュートを所定の取り付け固定した際は第１シュートと第２シュートの係合が確実なものとなり、商品収納室の左右方向のみでなく前後方向の位置決めについても確実に行うことができる
また、前記角穴を前記第１シュートの前記鉛直部から前記案内部に亘り構成したため、第２シュート着脱時は挿入方向に対して、角穴の開口面積を更に大きく確保することができるため、第２シュートの取付性が容易となる。
【００４５】
また、前記第２シュートの前記突出部の先端に上方向に突出した凸部を構成したため、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。
【００４６】
これらから、第２シュートを所定の取り付け固定した際は第１シュートと第２シュートの係合が確実なものとなり、商品収納室の左右方向のみでなく前後方向の位置決めについても確実に行える。
【００４７】
また、前記第２シュートの前記突出部の先端に上方向にＶ字状に屈曲した曲げ部を構成したため、第２シュートを所定の取り付け状態に固定した際は、第２シュートの抜き差し方向に対して第１シュートの角穴の投影寸法が小さくなり、第２シュートの突出部が第１シュートの角穴開口部を通過できない寸法関係となるため、着脱が不可能となり、抜け防止機能が働く。
【００４８】
これらから、第２シュートを所定の取り付け固定した際は第１シュートと第２シュートの係合が確実なものとなり、商品収納室の左右方向のみでなく前後方向の位置決めについても確実に行える。
【００４９】
また、前記第１シュートの前記鉛直部に２個の角穴が設けられ、かつ、前記第２シュートに２個の突出部が設けられ、前記突出部が前記第１シュートの前記角穴に挿通保持されるとともに、２個の前記突出部の間がおおよそ５０ｍｍもしくはそれよりも小さな間隔で形成されることにより、第１シュートと第２シュート間での取付状態のばらつきにより、第１シュートと第２シュート間の係合部での段差が生じた場合でも、商品が段差に完全に落ち込むことを防ぐことができ、段差に落ち込むことによる搬出不良などを防止することが出来る。
【産業上の利用可能性】
【００５０】
以上のように、本発明にかかる自動販売機は、商品収納室を既存部品である第２シュートで確実な位置固定ができ、また第２シュートと商品収納室との位置関係のばらつきをなくすことができ、商品搬出時の商品の挙動安定化ができる。また、商品収納室を固定するための固定部品の廃止ができコスト削減ができる。
【図面の簡単な説明】
【００５１】
【図１】本発明の実施の形態１における自動販売機の側面図
【図２】同実施の形態の自動販売機の要部分解斜視図
【図３】同実施の形態の第１シュートと第２シュートの係合部側面図
【図４】同実施の形態の第１シュートと第２シュートの係合部側面図
【図５】同実施の形態の第２シュート突出部近傍の斜視図
【図６】同実施の形態の第２シュート突出部近傍の斜視図
【図７】同実施の形態の第１シュートと第２シュートの係合部側面図
【図８】同実施の形態の第２シュート突出部近傍の斜視図
【図９】従来の自動販売機の全体斜視図
【符号の説明】
【００５２】
１０１  自動販売機
１０２，１０２ａ  商品収納室
１０３  商品払出装置
１０４  商品取出口
１０５  商品
１０６  シュート
１０６ａ  第１シュート
１０６ｂ  第２シュート
１０９  鉛直部
１１０  案内部
１１１  角穴
１１２  突出部
１１３  保持部
１１４  凸部
１１５  曲げ部
【図８】
2008250988.tif 000003
【図１】
2008250988.tif 000004
【図２】
2008250988.tif 000005
【図３】
2008250988.tif 000006
【図４】
2008250988.tif 000007
【図５】
2008250988.tif 000008
【図６】
2008250988.tif 000009
【図７】
2008250988.tif 000010
【図９】
2008250988.tif 000011